(57)【要約】【課題】  中継用ドレイン装置にあって、施工性に優れ、排水能力が大きく、製造コストを低減し得る雨水飛散防止装置を提供する。【解決手段】  ストレーナ２０Ａの内部に、上端を縦樋管８の外径より径大な導入口２１ａとし、下端を排水管部３の上部開口径より径小または略同径の導出口２１ｂとする案内傾斜錐面２２を一体形成し、その導入口２１ａを縦樋管８の下部位置に同心状に臨ませ、かつ、導出口２１ｂの下部を、排水管部３と同心状で該排水管部３の開口縁との間に、外部と連通する所要の流通間隙ｓが生じるように臨ませた状態で、前記ストレーナ２０Ａを取り付けるようにした。【選択図】    図１
2005146581.tif 000002
【特許請求の範囲】
【請求項１】
下方に連成された排水管部を床に挿通させて、該床に付設されるドレイン受皿と、該ドレイン受皿上に固定されるストレーナとを備える中継用ドレインが各階の上下で一致する位置に配設され、上端を上階のドレイン受皿の排水管部に嵌装し、下端を下階のストレーナ内に挿入して各階の中継用ドレイン間に縦樋管を垂直に差し渡してなる中継用ドレイン装置において、
前記ストレーナは、内部に、上端を前記縦樋管の外径より径大な導入口とし、下端を前記排水管部の上部開口径より径小または略同径の導出口とする案内傾斜錐面が一体形成され、その導入口を縦樋管の下部位置に同心状に臨ませ、かつ、導出口の下部を、排水管部と同心状で該排水管部の開口縁との間に、外部と連通する所要の流通間隙が生じるように臨ませた状態で取り付けられるものであることを特徴とする中継用ドレイン装置における雨水飛散防止装置。
【請求項２】
ストレーナに、上端を縦樋管の外径より径大な導入口とし、下端を排水管部の上部開口径より径小または略同径の導出口とする案内傾斜錐面を内面とする縮径部を形成し、該縮径部の下端に取付鍔部を外方突成して、該取付鍔部に、流通間隙と連通する通水欠部を周設したことを特徴とする請求項１記載の中継用ドレイン装置における雨水飛散防止装置。
【請求項３】
ストレーナに、上端を縦樋管の外径より径大な導入口とし、下端を排水管部の上部開口径より径小または略同径の導出口とする案内傾斜錐面を内面とする漏斗状部を内方突成し、該漏斗状部の突成位置より下方の周面に、複数の通水孔を周設したことを特徴とする請求項１記載の中継用ドレイン装置における雨水飛散防止装置。
【請求項４】
ストレーナが、軸線を略通る位置で前後に分割形成され、縦樋管の下端部を間に位置させた状態で該縦樋管の前後両側から一体に組み付けられていることを特徴とする請求項１乃至請求項３の何れかに記載の中継用ドレイン装置における雨水飛散防止装置。
【発明の詳細な説明】
【技術分野】
【０００１】
本発明は、各階の床に付設された中継用ドレイン間に上下に差し渡される縦樋管から下階のストレーナ内に雨水を放出する際に、その飛沫が外部へ飛散しないようにするための中継用ドレイン装置の雨水飛散防止装置に関する。
【背景技術】
【０００２】
一般に、中継用ドレイン装置にあっては、図７に示すように、各階のバルコニー等の床Ａに挿通される排水管部３が下方に連成されたドレイン受皿２上に、外周に通水孔４を多数形成した截頭円錐筒形のストレーナ５を固定してなる中継用ドレイン１が、各床Ａ毎に上下で一致する位置に配設されるとともに、長尺な縦樋管８の上端を上階側のドレイン受皿２の排水管部３に嵌装し、下端を下階側の中継用ドレイン１のストレーナ５内に挿入した状態で支持片９（図８参照）によって保持することにより、各階の中継用ドレイン１，１間に縦樋管８が垂直に差し渡されている。そして、上階の中継用ドレイン１のストレーナ５から流入した雨水は、前記縦樋管８を通って下階の中継用ドレイン１に順次流されるようになっている。
【０００３】
ところで、上記のような中継用ドレイン装置の構成にあっては、縦樋管８から下階のストレーナ５内に雨水が放出されると、下方のドレイン受皿２に形成されている排水管部３の上部開口径が縦樋管８より小径であるため、落下する雨水の一部が排水管部３の開口周縁に衝当し、その飛沫がストレーナ５に形成された通水孔４から外部へ飛散するという問題点がある。
【０００４】
そこで、図８に示すように、縦樋管８の外径より径大な導入口１４ａを上端に備え、かつ、排水管部３の上部開口径より径小な導出口１４ｂを下端に備えてなる誘導パイプ１３を、その導入口１４ａを縦樋管８の下部位置に臨ませ、かつ、導出口１４ｂを排水管部３の開口縁との間に所要の流通間隙ｓが生じるように臨ませた状態で、ストレーナ５内に配設し、雨水の飛散を防止するようにした構成が本願出願人によって既に提案されている（特許文献１参照）。
【０００５】
かかる構成は、雨水の飛散を防止し得るのは勿論のこと、床Ａ上からストレーナ５を介してドレイン受皿２内に流入する雨水を、前記流通間隙ｓから排水管部３へ円滑に排水でき、また、縦樋管８は、垂直状態を維持して取付け作業ができる一方、誘導パイプ１３は、縦樋管８に外嵌することなく、縦樋管８の下端と床Ａとの間に生じる間隙からドレイン受皿２上に装入し得るから、施工性に優れたものとなっている。
【０００６】
一方、同様に、雨水の飛散を防止することを目的として、ドレイン受皿の受け皿部と排水管部との境の部分から、切欠部を備えた環状の水返し壁を上方に一体突成するとともに、該水返し壁の内面が滑らかな曲面を経て排水管部の内面に連なり、この水返し壁と排水管部とで口径が上部から下部に向かって縮小する漏斗部を構成するようにしたものも提案されている（特許文献２参照）。
【特許文献１】特開２００２−２０１７６８号公報
【特許文献２】特開２００２−３０９７３０号公報
【発明の開示】
【発明が解決しようとする課題】
【０００７】
上記先行技術にあって、図８に示した構成にあっては、上述したように、雨水の飛散を防止し得るとともに、優れた施工性が得られるが、誘導パイプ１３がストレーナ５やドレイン受皿２とは別体に形成されていることにより、その分、製造コストが高いものとなっている。
【０００８】
一方、特許文献２に開示されている構成にあっては、環状の水返し壁がドレイン受皿と一体成形されているので、コスト高となることはないが、水返し壁に形成されている排水用の切欠部から雨水が外部へ飛散しないようにするために、該切欠部を小さいものにする必要があり、このため、床上からドレイン受皿内に流入する雨水の排水能力に劣るという問題点がある。ここで、切欠部を大きくすると、雨水の飛散防止作用が低下するばかりでなく、別途、雨水の飛散防止手段（当該公報の図２，図３に示されるプレート状のストレーナ等）を設ける必要が生ずることとなる。
【０００９】
本発明は、かかる従来の実状に鑑みてその改善を試みたものであって、その目的とするところは、中継用ドレイン装置において、製造コストを低減し、排水能力が大きく、しかも施工を容易に行い得る雨水飛散防止装置を提供することにある。
【課題を解決するための手段】
【００１０】
本発明は、下方に連成された排水管部を床に挿通させて、該床に付設されるドレイン受皿と、該ドレイン受皿上に固定されるストレーナとを備える中継用ドレインが各階の上下で一致する位置に配設され、上端を上階のドレイン受皿の排水管部に嵌装し、下端を下階のストレーナ内に挿入して各階の中継用ドレイン間に縦樋管を垂直に差し渡してなる中継用ドレイン装置において、前記ストレーナは、内部に、上端を前記縦樋管の外径より径大な導入口とし、下端を前記排水管部の上部開口径より径小または略同径の導出口とする案内傾斜錐面が一体形成され、その導入口を縦樋管の下部位置に同心状に臨ませ、かつ、導出口の下部を、排水管部と同心状で該排水管部の開口縁との間に、外部と連通する所要の流通間隙が生じるように臨ませた状態で取り付けられるものであることを特徴とする中継用ドレイン装置における雨水飛散防止装置である。
【００１１】
ここで、上記案内傾斜錐面はストレーナの鋳造或いはプレスによる成形時に、該ストレーナの内部に一体形成される。
【００１２】
上記ストレーナにあって、上端を縦樋管の外径より径大な導入口とし、下端を排水管部の上部開口径より径小または略同径の導出口とする案内傾斜錐面を内面とする縮径部を形成し、該縮径部の下端に取付鍔部を外方突成して、該取付鍔部に、流通間隙と連通する通水欠部を周設したものが提案される。
【００１３】
また、上記ストレーナの他の構成として、上端を縦樋管の外径より径大な導入口とし、下端を排水管部の上部開口径より径小または略同径の導出口とする案内傾斜錐面を内面とする漏斗状部を内方突成し、該漏斗状部の突成位置より下方の周面に、複数の通水孔を周設したものが提案される。
【００１４】
さらに、ストレーナを、軸線を略通る位置で前後に分割形成し、縦樋管の下端部を間に位置させた状態で該縦樋管の前後両側から一体に組み付ける構成が提案される。
【発明の効果】
【００１５】
本発明は、上述したように、下方に連成された排水管部を床に挿通させて、該床に付設されるドレイン受皿と、該ドレイン受皿上に固定されるストレーナとを備える中継用ドレインが各階の上下で一致する位置に配設され、上端を上階のドレイン受皿の排水管部に嵌装し、下端を下階のストレーナ内に挿入して各階の中継用ドレイン間に縦樋管を垂直に差し渡してなる中継用ドレイン装置において、前記ストレーナは、内部に、上端を前記縦樋管の外径より径大な導入口とし、下端を前記排水管部の上部開口径より径小または略同径の導出口とする案内傾斜錐面が一体形成され、その導入口を縦樋管の下部位置に同心状に臨ませ、かつ、導出口の下部を、排水管部と同心状で該排水管部の開口縁との間に、外部と連通する所要の流通間隙が生じるように臨ませた状態で取り付けられるものであることを特徴とする中継用ドレイン装置における雨水飛散防止装置であるから、ストレーナの内部に一体形成された案内傾斜錐面は、排水管部の上部開口径より径小または略同径に形成した導出口の下部を、排水管部の開口縁との間に外部と連通する所要の流通間隙が生じるように臨ませていることにより、床上からストレーナを介してドレイン受皿内に流入する雨水を、前記流通間隙から排水管部へ円滑に排水することができる。ここで、該流通間隙を大きく設定できるので、特許文献２に開示されている構成、即ち、環状の水返し壁に小さな切欠部を形成したものと異なり、排水能力が低下することがない。また、案内傾斜錐面の上端の導入口が縦樋管の外径より径大に形成されており、該導入口を縦樋管の下部位置に同心状に臨ませていることにより、縦樋管から流下する雨水を該導入口で全て受け入れることができる一方、排水管部の上部開口径より径小または略同径に形成された導出口の下部を、該排水管部の上方に所要の流通間隙を介して同心状に臨ませていることにより、前記導入口で受け入れた雨水を導出口から排水管部へ全て流すことができる。これにより、雨水の飛沫が周囲の床面に飛散することを防止できる。そして、このような案内傾斜錐面がストレーナの内部に一体形成されていることにより、従来の別体形成された誘導パイプ１３（図８参照）を用いる場合に比して、その製造コストを大幅に低減することができる。
【００１６】
また、上記ストレーナにあって、上端を縦樋管の外径より径大な導入口とし、下端を排水管部の上部開口径より径小または略同径の導出口とする案内傾斜錐面を内面とする縮径部を形成し、該縮径部の下端に取付鍔部を外方突成して、該取付鍔部に、流通間隙と連通する通水欠部を周設した構成にあっては、ストレーナの外周壁の一部によって縮径部を形成し得るので、形成時における材料使用量の増加を回避することができる。また、縮径部の下端に外方突成した取付鍔部によって、ストレーナをドレイン受皿上へ容易に固定することができ、さらに、該取付鍔部に周設した通水欠部によって、取付鍔部で遮蔽される流通間隙が外部と連通し、床上からドレイン受皿内に流入する雨水の排水機能を確保することができる。
【００１７】
また、上記ストレーナの他の構成として、上端を縦樋管の外径より径大な導入口とし、下端を排水管部の上部開口径より径小または略同径の導出口とする案内傾斜錐面を内面とする漏斗状部を内方突成し、該漏斗状部の突成位置より下方の周面に、複数の通水孔を周設したものにあっては、ストレーナの外観形状を従来構成の截頭円錐筒形と略同じにすることができるので違和感なく使用でき、また、漏斗状部の突成位置より下方の周面に周設した複数の通水孔によって、床上からドレイン受皿内に流入する雨水の排水機能を確保することができる。
【００１８】
さらに、ストレーナを、軸線を略通る位置で前後に分割形成し、縦樋管の下端部を間に位置させた状態で該縦樋管の前後両側から一体に組み付ける構成にあっては、縦樋管をドレイン受皿の上方で垂直に維持した状態で、その下端部にストレーナを簡単に取付けることができるので、施工性に優れたものとなる。
【発明を実施するための最良の形態】
【００１９】
以下に、本発明の第一実施例を、図１〜図４に従って説明する。
図１に示すように、各階のバルコニー等の床Ａには、下方に排水管部３が連成されたドレイン受皿２が、該排水管部３を床Ａに挿通させた状態で各床Ａ毎に上下で一致する位置に配設されている。このドレイン受皿２上には、本発明にかかる雨水飛散防止装置を構成するストレーナ２０Ａが固定されている。そして、このストレーナ２０Ａと前記ドレイン受皿２とによって中継用ドレイン１が構成されている。
【００２０】
また、各階の床Ａに配設された中継用ドレイン１には、縦樋管８が垂直に差し渡されている。該縦樋管８は、その上端が上階のドレイン受皿２の排水管部３に嵌装され、下端が下階のストレーナ２０Ａ内に挿入されている。そして、この縦樋管８と中継用ドレイン１とにより中継用ドレイン装置が構成されており、降雨時に、各階の床Ａ上からドレイン受皿２内に流入する雨水を縦樋管８に流して排水し、かつ、上階から縦樋管８を通って流下する雨水を下階のストレーナ２０Ａ内で放出し、その雨水をドレイン受皿２の排水管部３内に順次流し込んで縦樋管８によって排水し得るようになっている。
【００２１】
前記ストレーナ２０Ａの内部には、上端を前記縦樋管８の外径より径大な導入口２１ａとし、下端を前記排水管部３の上部開口径より径小または略同径の導出口２１ｂとする案内傾斜錐面２２が一体形成されている。この第一実施例では、該案内傾斜錐面２２を内面に備えた縮径部２３がストレーナ２０Ａの略中間高さ位置に形成されており、該縮径部２３がストレーナ２０Ａの外周壁の一部となっている。ここで、該縮径部２３は、導出口２１ｂの下部に連続する短筒状部２４を備えており、縮径部２３の下端となる短筒状部２４の下端には取付鍔部２５が外方突成されている。該取付鍔部２５には、後述する流通間隙ｓと連通する複数の通水欠部２６が周設されている。また、該取付鍔部２５の外周縁の１８０°異なる位置で、ドレイン受皿２に部分的に形成されている支持段部１２の螺子孔１２ａに一致する位置に、固定螺子１１を挿通し得る略半円形の切欠部２７が夫々形成されている。
【００２２】
上記ストレーナ２０Ａの成形には、鋳造或いはプレス等の成形手段が適用され得るが、特に鋳造による成形が好適である。また、ストレーナ２０Ａは施工を容易とするために、軸線を略通る位置で前後に分割形成されており、その分割面の外側に組付用ボルト３０の挿通孔２８を備えたフランジ部２９が左右一対に設けられている。そして、その分割面を突き合わせて、図３に示すように、前後で対向するフランジ部２９，２９の各挿通孔２８，２８に組付用ボルト３０を夫々挿通し、その突出端側に螺合されるナット３１の緊締作用を介して一体に組み付け得るようになっている。また、ストレーナ２０Ａの上端部近傍の周面には、図４に示すように、押付螺子７を螺合する複数の螺子孔６が周方向に等間隔で形成されている。
【００２３】
そして、ストレーナ２０Ａは、案内傾斜錐面２２の導入口２１ａを縦樋管８の下部位置に同心状に臨ませ、かつ、導出口２１ｂの下部を、排水管部３と同心状で該排水管部３の開口縁との間に、外部と連通する所要の流通間隙ｓが生じるように臨ませた状態で、ドレイン受皿２上に取り付け得るようになっている。
【００２４】
次に、前記ストレーナ２０Ａと縦樋管８の施工手順について説明する。ドレイン受皿２が、排水管部３を床Ａに挿通させた状態で各床Ａ毎に上下で一致する位置に配設されている状態において、先ず、縦樋管８を垂直にして、その上端を上階のドレイン受皿２の排水管部３に嵌装する。そして、縦樋管８の垂直状態を維持し、該縦樋管８の下端部を間に位置させた状態で、分割形成されたストレーナ２０Ａの分割面を縦樋管８の前後両側から突き合わせて、組付用ボルト３０，ナット３１によって一体に組み付ける。次いで、取付鍔部２５に形成されている切欠部２７を、支持段部１２の螺子孔１２ａに夫々一致させ、該切欠部２７に上方から固定螺子１１を挿通して、該固定螺子１１を螺子孔１２ａに螺締する。これにより、ストレーナ２０Ａがドレイン受皿２上の所定位置に固定される。然る後、ストレーナ２０Ａの上部周縁に形成された各螺子孔６に押付螺子７を夫々螺着して、その先端を縦樋管８の周面に圧接させて該縦樋管８の下端部を固定するとともに、該縦樋管８の中間部を支持片９（図８参照）によって保持することにより、施工が完了する。
【００２５】
このように、軸線を略通る位置で前後に分割形成されたストレーナ２０Ａは、ドレイン受皿２の上方で垂直状態を維持した縦樋管８の下端部に、その前後両側から分割面を突き合わせて組付用ボルト３０，ナット３１によって一体に組み付け得るから、その施工を極めて容易に行うことができる。これにより、縦樋管８の下端とドレイン受皿２の上面との間に、ストレーナ２０Ａを装入する充分な隙間がなくても、該縦樋管８の下端部にストレーナ２０Ａを簡単に取付けることができる。
【００２６】
そして、かかる施工状態にあって、図１に示すように、ストレーナ２０Ａの内部に一体形成された案内傾斜錐面２２は、その下端の導出口２１ｂが排水管部３の上部開口径より径小または略同径に形成されており、該導出口２１ｂの下部を排水管部３と同心状で該排水管部３の開口縁との間に所要の流通間隙ｓが生じるように臨ませていることにより、床Ａ上からストレーナ２０Ａの通水欠部２６を介してドレイン受皿２内に流入する雨水を、前記流通間隙ｓから排水管部３へ円滑に排水することができる。ここで、流通間隙ｓは大きく設定できるので、床Ａ上から流入する雨水の排水能力が低下することがない。また、案内傾斜錐面２２の上端の導入口２１ａは、縦樋管８の外径より径大に形成されており、該導入口２１ａを縦樋管８の下部位置に同心状に臨ませていることにより、縦樋管８から流下する雨水を、該導入口２１ａで全て受け入れることができ、案内傾斜錐面２２の案内作用を介して下端の導出口２１ｂから排水管部３へ流すことができる。これにより、雨水の飛沫が周囲の床面に飛散することはない。そして、このような案内傾斜錐面２２がストレーナ２０Ａの内部に一体形成されていることにより、従来の別体形成された誘導パイプ１３（図８参照）を用いる場合に比して、その製造コストを大幅に低減することができる。また、この第一実施例にあっては、ストレーナ２０Ａの外周壁の一部によって縮径部２３を形成し得るので、形成時における材料使用量の増加を回避することができる。また、縮径部２３の下端に外方突成した取付鍔部２５によって、ストレーナ２０Ａをドレイン受皿２上へ容易に固定することができ、さらに、該取付鍔部２５に周設した通水欠部２６によって、取付鍔部２５で遮蔽される流通間隙ｓが外部と連通し、床Ａ上からドレイン受皿２内に流入する雨水の排水機能を確保することができる。
【００２７】
図５，図６は第二実施例を示し、この第二実施例におけるストレーナ２０Ｂは、外観形状が截頭円錐筒形を呈し、その内部の略中間高さ位置に、上端を縦樋管８の外径より径大な導入口２１ａとし、下端を排水管部３の上部開口径より径小または略同径の導出口２１ｂとする案内傾斜錐面２２を内面とする漏斗状部３２が内方突成されている。また、該漏斗状部３２の突成位置より下方の周面に、複数の通水孔３３が周設されている。
【００２８】
上記ストレーナ２０Ｂの成形には、第一実施例と同様に、鋳造或いはプレス等の成形手段が適用され得るが、特に鋳造による成形が好適である。また、ストレーナ２０Ｂは施工を容易とするために、軸線を略通る位置で前後に分割形成されており、その分割面の外側にフランジ部２９，２９が左右一対に設けられている。そして、該フランジ部２９，２９の各挿通孔２８に挿通される組付用ボルト３０と、該組付用ボルト３０の突出端側に螺合されるナット３１との緊締作用を介して一体に組み付け得るようになっている。
【００２９】
また、ストレーナ２０Ｂは、案内傾斜錐面２２を内面とする漏斗状部３２の導入口２１ａを縦樋管８の下部位置に同心状に臨ませ、かつ、導出口２１ｂの下部を、排水管部３と同心状で該排水管部３の開口縁との間に、外部と連通する所要の流通間隙ｓが生じるように臨ませた状態で、ドレイン受皿２上に取り付けられる。その他の構成は、第一実施例と同じであり、同一部分に同一符号を付して重複する説明を省略する。
【００３０】
かかる構成にあって、ストレーナ２０Ｂの内部に一体形成された案内傾斜錐面２２を具備する漏斗状部３２は、その下端の導出口２１ｂが排水管部３の上部開口径より径小または略同径に形成されており、該導出口２１ｂの下部を排水管部３と同心状で該排水管部３の開口縁との間に所要の流通間隙ｓが生じるように臨ませていることにより、床Ａ上からストレーナ２０Ｂの通水孔３３を介してドレイン受皿２内に流入する雨水を、前記流通間隙ｓから排水管部３へ円滑に排水することができる。ここで、流通間隙ｓは大きく設定できるので、床Ａ上から流入する雨水の排水能力が低下することがない。また、案内傾斜錐面２２の上端の導入口２１ａは、縦樋管８の外径より径大に形成されており、該導入口２１ａを縦樋管８の下部位置に同心状に臨ませていることにより、縦樋管８から流下する雨水を、該導入口２１ａで全て受け入れることができ、案内傾斜錐面２２の案内作用を介して下端の導出口２１ｂから排水管部３へ流すことができる。これにより、雨水の飛沫が周囲の床面に飛散することはない。そして、このような案内傾斜錐面２２を備えた漏斗状部３２がストレーナ２０Ｂの内部に一体形成されていることにより、従来の別体形成された誘導パイプ１３（図８参照）を用いる場合に比して、その製造コストを大幅に低減することができる。また、この第二実施例にあっては、ストレーナ２０Ｂの外観形状を従来構成の截頭円錐筒形と略同じにすることができるので違和感なく使用でき、また、漏斗状部３２の突成位置より下方の周面に周設した複数の通水孔３３によって、床Ａ上からドレイン受皿２内に流入する雨水の排水機能を確保することができる。
【図面の簡単な説明】
【００３１】
【図１】第一実施例にかかる雨水飛散防止装置を備えた中継用ドレイン装置の施工状態を示す縦断面図である。
【図２】雨水飛散防止装置を構成するストレーナ２０Ａの外観斜視図である。
【図３】図１におけるＸ−Ｘ断面図である。
【図４】図１におけるＹ−Ｙ断面図である。
【図５】第二実施例にかかる雨水飛散防止装置を備えた中継用ドレイン装置の施工状態を示す縦断面図である。
【図６】同上の雨水飛散防止装置を構成するストレーナ２０Ｂの、分割形成された一片側の外観斜視図である。
【図７】従来構成の中継用ドレイン装置の施工状態を示す縦断面図である。
【図８】ストレーナ５内に誘導パイプ１３が配設された従来構成の中継用ドレイン装置の施工状態を示す縦断面図である。
【符号の説明】
【００３２】
１  中継用ドレイン
２  ドレイン受皿
３  排水管部
８  縦樋管
２０Ａ，２０Ｂ  ストレーナ
２１ａ  導入口
２１ｂ  導出口
２２  案内傾斜錐面
２３  縮径部
２５  取付鍔部
２６  通水欠部
３２  漏斗状部
３３  通水孔
Ａ  床
ｓ  流通間隙
【図１】
2005146581.tif 000003
【図２】
2005146581.tif 000004
【図３】
2005146581.tif 000005
【図４】
2005146581.tif 000006
【図５】
2005146581.tif 000007
【図６】
2005146581.tif 000008
【図７】
2005146581.tif 000009
【図８】
2005146581.tif 000010